(57)【要約】【課題】ハイブリッドディスクを再生する際に、好適な記録面を効率的に選択するディスク再生装置を提供する。【解決手段】ＢＤ規格とＤＶＤ規格の記録面を含む光ディスク媒体６００を再生し、出力装置に出力するディスク再生装置１００において、ＣＰＵ１１２は、出力装置とＨＤＭＩ端子ケーブル３００を介して接続されているときにＢＤ規格の記録面を再生し、出力装置とＤ端子ケーブル５００を介して接続されているときにＤＶＤ規格の記録面を再生する。【選択図】図３
2008103001.tif 000002
【特許請求の範囲】
【請求項１】
出力装置に接続され、複数の規格に準拠する記録面を備えるハイブリッドディスクを再生し、出力装置に出力するディスク再生装置であって、
前記出力装置の仕様を特定する仕様情報を取得する仕様取得手段と、
前記ハイブリッドディスクに含まれる複数の規格の記録面の内、前記仕様取得手段により取得した仕様情報で特定される規格の記録面を再生する第１の再生手段と、
前記仕様取得手段により仕様情報が取得できないときに、所定の規格の記録面を再生する第２の再生手段と、を備える、
ことを特徴とするディスク再生装置。
【請求項２】
前記仕様取得手段は、前記出力装置が当該ディスク再生装置と相互に通信する機能を備えるか否かを判別する判別手段を備え、
前記第１の再生手段は、相互通信機能を備える出力装置が準拠する規格の記録面を再生する、
ことを特徴とする請求項１に記載のディスク再生装置。
【請求項３】
複数の規格に準拠する記録面を備えるハイブリッドディスクを再生し、出力装置に出力するディスク再生装置のディスク再生方法であって、
前記出力装置の仕様を特定する仕様情報を取得する仕様取得ステップと、
前記ハイブリッドディスクに含まれる複数の規格の記録面の内、前記仕様取得ステップで取得した仕様情報で特定される規格の記録面を再生する第１の再生ステップと、
前記仕様取得ステップで仕様情報が取得できないときに、所定の規格の記録面を再生する第２の再生ステップと、を備える、
ことを特徴とするディスク再生方法。
【請求項４】
前記仕様取得ステップは、前記出力装置が当該ディスク再生装置と相互に通信する機能を備えるか否かを判別する判別ステップを備え、
前記第１の再生ステップは、相互通信機能を備える出力装置が準拠する規格の記録面を再生する、
ことを特徴とする請求項３に記載のディスク再生方法。
【発明の詳細な説明】
【技術分野】
【０００１】
本発明は、ハイブリッドディスクを再生するディスク再生装置、及び、ディスク再生方法に関する。
【背景技術】
【０００２】
現在、異なる規格の複数の記録層を備える光ディスク（以下、ハイブリッドディスク）が規格化されている。
【０００３】
例えば、ＢＤ（Blu-ray Disc）規格の記録層（以下、ＢＤ層）とＤＶＤ（Digital Versatile Disc）規格の記録層（以下、ＤＶＤ層）とを備えるハイブリッドディスク、ＢＤ規格の記録層とＤＶＤ規格の記録層とＣＤ（Compact Disc）規格の記録層（以下、ＣＤ層）とを備えるハイブリッドディスク等が規格化されている。（例えば、特許文献１）
【０００４】
ハイブリッドディスクをディスク再生装置で再生させ、出力装置に表示させる場合、出力装置は、ハイブリッドディスクが準拠する規格を全てサポートしているとは限らない。このため、ユーザは、出力装置の仕様に合わせて、再生する記録層の規格を選択するか、もしくは、優先して再生する規格をディスク再生装置に対して予め設定する必要があった。例えば、ＢＤ層とＤＶＤ層に同一のコンテンツが記録されているハイブリッドディスクを再生する場合に、ユーザ自らが、いずれの記録層を再生するのかを、選択及び設定する必要があった。そのため、ディスク再生装置の操作をする上で手間がかかり、不便で効率が低かった。
【特許文献１】特開２００１−１７６１２９号公報
【発明の開示】
【発明が解決しようとする課題】
【０００５】
本発明は、上記問題点に鑑みてなされたもので、ハイブリッドディスクを再生する際に、好適な記録層を効率的に選択するディスク再生装置を提供することを目的とする。
【課題を解決するための手段】
【０００６】
上記目的を達成するために、本発明の第１の観点に係るディスク再生装置は、
出力装置に接続され、複数の規格に準拠する記録面を備えるハイブリッドディスクを再生し、出力装置に出力するディスク再生装置であって、
前記出力装置の仕様を特定する仕様情報を取得する仕様取得手段と、
前記ハイブリッドディスクに含まれる複数の規格の記録面の内、前記仕様取得手段により取得した仕様情報で特定される規格の記録面を再生する第１の再生手段と、
前記仕様取得手段により仕様情報が取得できないときに、所定の規格の記録面を再生する第２の再生手段と、を備える、
ことを特徴とする。
【０００７】
例えば、前記仕様取得手段は、前記出力装置が当該ディスク再生装置と相互に通信する機能を備えるか否かを判別する判別手段を備え、
前記第１の再生手段は、相互通信機能を備える出力装置が準拠する規格の記録面を再生する、
ことを特徴としてもよい。
【０００８】
本発明の第２の観点に係るディスク再生方法は、
複数の規格に準拠する記録面を備えるハイブリッドディスクを再生し、出力装置に出力するディスク再生装置のディスク再生方法であって、
前記出力装置の仕様を特定する仕様情報を取得する仕様取得ステップと、
前記ハイブリッドディスクに含まれる複数の規格の記録面の内、前記仕様取得ステップで取得した仕様情報で特定される規格の記録面を再生する第１の再生ステップと、
前記仕様取得ステップで仕様情報が取得できないときに、所定の規格の記録面を再生する第２の再生ステップと、を備える、
ことを特徴とする。
【０００９】
例えば、前記仕様取得ステップは、前記出力装置が当該ディスク再生装置と相互に通信する機能を備えるか否かを判別する判別ステップを備え、
前記第１の再生ステップは、相互通信機能を備える出力装置が準拠する規格の記録面を再生する、
ことを特徴としてもよい。
【発明の効果】
【００１０】
本発明のディスク再生装置は、ハイブリッドディスクを再生する場合に、出力装置の仕様によって、最適な規格を選択するので、ユーザに手間をかけさせない。
【発明を実施するための最良の形態】
【００１１】
本発明の実施形態に係るディスク再生装置１００について説明する。ディスク再生装置１００は、ＨＤＭＩ（High Definition Multimedia Interface）端子とＤ端子とを備え、ＢＤ規格とＤＶＤ規格とＣＤ規格の光ディスクを再生することができる。ディスク再生装置１００は、図１に示すように、ＨＤＭＩ端子ケーブル３００を介してＨＤＭＩ規格のモニタであるＨＤＭＩ機能付出力装置２００と接続される場合と、図２に示すように、Ｄ端子ケーブル５００を介してＨＤＭＩ規格ではないモニタであるＨＤＭＩ機能無し出力装置４００と接続される場合とがある。
【００１２】
ディスク再生装置１００は、図３に示すように、光ピックアップ１０１と、ディスク設置部１０２と、信号処理部１０３と、ＭＰＥＧデコーダ１０４と、Ｉ／Ｐコンバータ１０５と、スケーラ１０６と、ＨＤＭＩトランスミッタ１０７と、ビデオエンコーダ１０８と、ビデオアンプ１０９と、操作部１１０と、表示部１１１と、ＣＰＵ（Central Processing Unit）１１２と、記憶部１１３と、バス１１４と、から構成される。また、ディスク再生装置１００は、その内部に光ディスク媒体６００を装填し、再生する。
【００１３】
光ピックアップ１０１は、光ディスク媒体６００にレーザ光を照射し、その反射光を受光し、電気信号に変換し、信号処理部１０３に供給する。
【００１４】
ディスク設置部１０２は、光ディスク媒体６００を設置し、回転駆動させる。
【００１５】
信号処理部１０３は、光ピックアップ１０１から供給された電気信号に所定の処理を施し、ＭＰＥＧ（Moving Picture Expert Group）形式のデジタル映像信号と、デジタル音声信号とを生成する。信号処理部１０３は、ＭＰＥＧ形式のデジタル映像信号をＭＰＥＧデコーダ１０４に供給する。また、信号処理部１０３は、バス１１４と接続されている。
【００１６】
ＭＰＥＧデコーダ１０４は、信号処理部１０３より供給されたＭＰＥＧ形式のデジタル映像信号をインタレース方式の信号に復調し、Ｉ／Ｐコンバータ１０５に供給する。また、ＭＰＥＧデコーダ１０４は、バス１１４と接続されている。
【００１７】
Ｉ／Ｐコンバータ１０５は、供給されたインタレース方式のデジタル映像信号をプログレッシブ方式に変換し、スケーラ１０６又はビデオエンコーダ１０８に供給する。また、Ｉ／Ｐコンバータ１０５は、バス１１４と接続されている。
【００１８】
スケーラ１０６は、Ｉ／Ｐコンバータ１０５より供給されたプログレッシブ方式のデジタル映像信号の解像度を変換し、ＨＤＭＩトランスミッタ１０７に供給する。
【００１９】
ＨＤＭＩトランスミッタ１０７は、スケーラ１０６より供給されたデジタル映像信号を、ＨＤＭＩ端子ケーブル３００を介してＨＤＭＩ機能付出力装置２００に供給する。ＨＤＭＩトランスミッタ１０７は、バス１１４と接続される。
【００２０】
ビデオエンコーダ１０８は、Ｉ／Ｐコンバータ１０５より供給されたプログレッシブ形式のデジタル映像信号をアナログ映像信号に変換し、ビデオアンプ１０９に供給する。
【００２１】
ビデオアンプ１０９は、ビデオエンコーダ１０８より供給されたアナログ映像信号を増幅し、Ｄ端子ケーブル５００を介してＨＤＭＩ機能無し出力装置４００に供給する。
【００２２】
操作部１１０は、ユーザから操作情報を受け付け、操作に応じた操作信号をＣＰＵ１１２に供給する。例えば、ディスク再生装置１００は、ユーザより操作部１１０を介して光ディスクの再生を指示する信号を受信し、光ディスク媒体６００を再生する。
【００２３】
表示部１１１は、ユーザがディスク再生装置１００を操作するために必要な情報を表示する。
【００２４】
ＣＰＵ１１２は、ディスク再生１００装置全体を制御する。例えば、ＣＰＵ１１２は、ＨＤＭＩ端子ケーブル３００を介して出力装置と接続されているか、Ｄ端子ケーブル５００を介して出力装置と接続されているか、を判別する。その判別結果に応じて、ＣＰＵ１１２は、ハイブリッドディスクの複数の規格の記録層の内、どの規格の記録層を再生するかを決定する。
【００２５】
記憶部１１３は、ハードディスク装置、ＲＡＭ（Random Access Memory）、ＲＯＭ（Read Only Memory）などから構成され、ＯＳ（Operating System）、制御プログラムと種々のデータを記憶する。
【００２６】
ＨＤＭＩ機能付出力装置２００は、ＨＤＭＩ規格の端子を備え、ＨＤＭＩ端子ケーブル３００を介してＨＤＭＩトランスミッタ１０７と接続される。また、ＨＤＭＩ機能付出力装置２００は、ＨＤＭＩトランスミッタ１０７より供給されたデジタル映像信号を画像に変換し、表示する。
【００２７】
ＨＤＭＩ端子ケーブル３００は、ＨＤＭＩ規格のケーブルであり、ＨＰＤ（Hot Plug Detection）とＴＭＤＳ（Transition Minimized Differential Signaling）とＤＤＣ（Display Data Channel）の規格の信号線から構成されている。ＨＰＤとＴＭＤＳの規格の信号線は、ＨＤＭＩトランスミッタ１０７とＨＤＭＩ機能付出力装置２００とに接続され、ＤＤＣ規格の信号線は、バス１１４とＨＤＭＩ機能付出力装置２００とに接続される。ＨＤＭＩ端子ケーブル３００によれば、ＨＤＭＩ機能付出力装置２００とディスク再生装置１００との間で、通信可能であり、デジタル映像信号、デジタル音声信号、デジタル制御信号の全てが送受信可能である。
【００２８】
Ｄ端子ケーブル５００は、Ｄ端子規格によるケーブルであり、アナログ映像信号をビデオアンプ１０９よりＨＤＭＩ機能無し出力装置４００に伝達する。
【００２９】
次に、本発明の実施形態に係る動作について図４，５を参照しながら説明する。
【００３０】
先ず、図４に示すフローチャートを参照して、ディスク再生装置１００が行うディスク判別処理を説明する。
【００３１】
ディスク再生装置１００に光ディスク媒体６００が装填されると、ＣＰＵ１１２は、光ディスク媒体６００のＴＯＣ（Table Of Contents）情報の読み込みを開始する（ステップＳ１０１）。
【００３２】
ＣＰＵ１１２は、ＴＯＣ情報の読み込みが終了したか否かを判別する（ステップＳ１０２）。
【００３３】
ＴＯＣ情報の読み込みが終了したと判別した場合は（ステップＳ１０２；ＹＥＳ）、光ディスク媒体６００の種別を表示部１１１かＨＤＭＩ機能付出力装置２００かＨＤＭＩ機能無し出力装置４００に表示する（ステップＳ１０３）。
【００３４】
ＴＯＣ情報の読み込みが終了していないと判別した場合は（ステップＳ１０２；ＮＯ）、ＣＰＵ１１２は、ＴＯＣ情報の読み込みを開始してから所定の時間が経過したか否かを判別する（ステップＳ１０４）。
【００３５】
ＴＯＣ情報の読み込みを開始してから所定の時間が経過していないと判別した場合は（ステップＳ１０４；ＮＯ）、処理をステップＳ１０２に戻す。
【００３６】
ＴＯＣ情報の読み込みを開始してから所定の時間が経過したと判別した場合は（ステップＳ１０４；ＹＥＳ）、光ディスク媒体６００の種別を判別できなかった旨を表示部１１１かＨＤＭＩ機能付出力装置２００かＨＤＭＩ機能無し出力装置４００に表示する（ステップＳ１０５）。
【００３７】
このようにして、ディスク再生装置１００は、光ディスク媒体６００の種別を判別する。
【００３８】
次に、図５に示すフローチャートを参照して、ディスク再生装置１００が行うディスク再生処理を説明する。
【００３９】
先ず、ユーザが操作部１１０を介して光ディスク媒体６００を再生するように指示すると、ＣＰＵ１１２は、予め取得しているＴＯＣ情報に基づいて光ディスク媒体６００がハイブリッドディスクであるか否かを判別する（ステップＳ２０１）。
【００４０】
ステップＳ２０１において、光ディスク媒体６００がハイブリッドディスクであると判別すると（ステップＳ２０１；ＹＥＳ）、ＣＰＵ１１２は、予め取得しているＴＯＣ情報に基づいて光ディスク媒体６００がＢＤ規格の記録面を含むハイブリッドディスクであるか否かを判別する（ステップＳ２０２）。
【００４１】
ステップＳ２０２において、光ディスク媒体６００がＢＤ規格の記録面を含むハイブリッドディスクであると判別すると（ステップＳ２０２；ＹＥＳ）、ＣＰＵ１１２は、出力装置がＨＤＭＩ端子で接続されているか否かを判別する（ステップＳ２０３）。
【００４２】
ステップＳ２０３において、出力装置がＨＤＭＩ端子で接続されていると判別すると（ステップＳ２０３；ＹＥＳ）、ＣＰＵ１１２は、ＢＤ規格の記録層を再生して（ステップＳ２０４）、処理を完了する。
【００４３】
ステップＳ２０３において、出力装置がＨＤＭＩ端子で接続されていないと判別すると（ステップＳ２０３；ＮＯ）、ＣＰＵ１１２は、予め取得しているＴＯＣ情報に基づいて光ディスク媒体６００がＢＤ／ＣＤハイブリッドディスクであるか否かを判別する（ステップＳ２０５）。
【００４４】
ステップＳ２０５において、光ディスク媒体６００がＢＤ／ＣＤハイブリッドディスクではないと判別すると（ステップＳ２０５；ＮＯ）、ＣＰＵ１１２は、ＤＶＤ規格の記録層を再生して（ステップＳ２０６）、処理を完了する。
【００４５】
ステップＳ２０５において、光ディスク媒体６００がＢＤ／ＣＤハイブリッドディスクであると判別すると（ステップＳ２０５；ＹＥＳ）、ＣＰＵ１１２は、ＢＤ規格の記録層を再生して（ステップＳ２０７）、処理を完了する。
【００４６】
ステップＳ２０２において、光ディスク媒体６００がＢＤ規格の記録面を含むハイブリッドディスクではないと判別すると（ステップＳ２０２；ＮＯ）、ＣＰＵ１１２は、ＤＶＤ規格の記録層を再生して（ステップＳ２０８）、処理を完了する。
【００４７】
ステップＳ２０１において、光ディスク媒体６００がハイブリッドディスクでないと判別すると（ステップＳ２０１；ＮＯ）、ＣＰＵ１１２は、予め取得しているＴＯＣ情報に基づいて光ディスク媒体６００がＣＤディスクであるか否かを判別する（ステップＳ２０９）。
【００４８】
ステップＳ２０９において、光ディスク媒体６００がＣＤディスクではないと判別すると（ステップＳ２０９；ＮＯ）、ＣＰＵ１１２は、光ディスク媒体６００がＢＤディスクであったら（ステップＳ２１０；ＹＥＳ）、ＢＤ規格の記録層を再生し（ステップＳ２１１）、光ディスク媒体６００がＤＶＤディスクであったら（ステップＳ２１０；ＮＯ）、ＤＶＤ規格の記録層を再生し（ステップＳ２１２）、処理を完了する。
【００４９】
ステップＳ２０９において、光ディスク媒体６００がＣＤディスクであると判別すると（ステップＳ２０９；ＹＥＳ）、処理を完了する。
【００５０】
このようにして、光ディスク媒体の種別と、ＨＤＭＩ端子で出力装置と接続されているか否かとによって、自動的に再生する記録面を決定することができる。
【００５１】
なお、本発明は、上述した実施形態に限定されず、種々の変形及び応用が可能である。
【００５２】
上記実施形態では、ディスク再生装置１００は、光ディスク媒体の種別と、ＨＤＭＩ端子で出力装置と接続されているか否かとによって、自動的に再生する記録面を決定した。
【００５３】
応用例では、ディスク再生装置１００は、ＨＤＭＩ端子で出力装置と接続されている場合、出力装置の仕様情報を取得し、光ディスク媒体の種別と、ＨＤＭＩ端子で出力装置と接続されているか否かと、出力装置の仕様情報とによって、自動的に再生する記録面を決定してもよい。
【００５４】
図６に示すフローチャートを参照して、応用例におけるディスク再生処理を説明する。
【００５５】
先ず、ユーザが操作部１１０を介して光ディスク媒体６００を再生するように指示すると、ＣＰＵ１１２は、予め取得しているＴＯＣ情報に基づいて光ディスク媒体６００がハイブリッドディスクであるか否かを判別する（ステップＳ３０１）。
【００５６】
ステップＳ３０１において、光ディスク媒体６００がハイブリッドディスクであると判別すると（ステップＳ３０１；ＹＥＳ）、ＣＰＵ１１２は、予め取得しているＴＯＣ情報に基づいて光ディスク媒体６００がＢＤ規格の記録面を含むハイブリッドディスクであるか否かを判別する（ステップＳ３０２）。
【００５７】
ステップＳ３０２において、光ディスク媒体６００がＢＤ規格の記録面を含むハイブリッドディスクであると判別すると（ステップＳ３０２；ＹＥＳ）、ＣＰＵ１１２は、出力装置がＨＤＭＩ端子で接続されているか否かを判別する（ステップＳ３０３）。
【００５８】
ステップＳ３０３において、出力装置がＨＤＭＩ端子で接続されていると判別すると（ステップＳ２０３；ＹＥＳ）、ＣＰＵ１１２は、出力装置より出力装置の仕様の情報（以下、仕様情報）を取得する（ステップＳ３０４）。
【００５９】
ＣＰＵ１１２は、取得した仕様情報に基づいて出力装置がＨＤ（High Definition）映像に対応しているか否かを判別する（ステップＳ３０５）。
【００６０】
ステップＳ３０５において、出力装置がＨＤ映像に対応していると判別すると（ステップＳ３０５；ＹＥＳ）、ＢＤ規格の記録層を再生して（ステップＳ３０６）、処理を完了する。
【００６１】
ステップＳ３０５において、出力装置がＨＤ映像に対応していないと判別すると（ステップＳ３０５；ＮＯ）、処理をステップＳ３０７に進める。
【００６２】
ステップＳ３０３において、出力装置がＨＤＭＩ端子で接続されていないと判別すると（ステップＳ３０３；ＮＯ）、ＣＰＵ１１２は、予め取得しているＴＯＣ情報に基づいて光ディスク媒体６００がＢＤ／ＣＤハイブリッドディスクであるか否かを判別する（ステップＳ３０７）。
【００６３】
ステップＳ３０７において、光ディスク媒体６００がＢＤ／ＣＤハイブリッドディスクではないと判別すると（ステップＳ３０７；ＮＯ）、ＣＰＵ１１２は、ＤＶＤ規格の記録層を再生して（ステップＳ３０８）、処理を完了する。
【００６４】
ステップＳ３０７において、光ディスク媒体６００がＢＤ／ＣＤハイブリッドディスクであると判別すると（ステップＳ３０７；ＹＥＳ）、ＣＰＵ１１２は、ＢＤ規格の記録層を再生して（ステップＳ３０９）、処理を完了する。
【００６５】
ステップＳ３０２において、光ディスク媒体６００がＢＤ規格の記録面を含むハイブリッドディスクではないと判別すると（ステップＳ３０２；ＮＯ）、ＣＰＵ１１２は、ＤＶＤ規格の記録層を再生して（ステップＳ３１０）、処理を完了する。
【００６６】
ステップＳ３０１において、光ディスク媒体６００がハイブリッドディスクでないと判別すると（ステップＳ３０１；ＮＯ）、ＣＰＵ１１２は、予め取得しているＴＯＣ情報に基づいて光ディスク媒体６００がＣＤディスクであるか否かを判別する（ステップＳ３１１）。
【００６７】
ステップＳ３１１において、光ディスク媒体６００がＣＤディスクではないと判別すると（ステップＳ３１１；ＮＯ）、ＣＰＵ１１２は、光ディスク媒体６００がＢＤディスクであったら（ステップＳ３１２；ＹＥＳ）、ＢＤ規格の記録層を再生し（ステップＳ３１３）、光ディスク媒体６００がＤＶＤディスクであったら（ステップＳ３１２；ＮＯ）、ＤＶＤ規格の記録層を再生し（ステップＳ３１４）、処理を完了する。
【００６８】
ステップＳ３１１において、光ディスク媒体６００がＣＤディスクであると判別すると（ステップＳ３１１；ＹＥＳ）、処理を完了する。
【００６９】
このように、応用例においてディスク再生装置１００は、光ディスク媒体の種別と、ＨＤＭＩ端子で出力装置と接続されているか否かと、出力装置の仕様情報とによって、自動的に再生する記録面を決定することができ、出力装置の状況に適合した光ディスク媒体の再生を行うことができる。
【図面の簡単な説明】
【００７０】
【図１】ディスク再生装置と出力装置との接続例である。
【図２】ディスク再生装置と出力装置との接続例である。
【図３】本発明の実施形態に係るディスク再生装置の構成を示す図である。
【図４】ディスク判別処理を説明するためのフローチャートである。
【図５】ディスク再生処理を説明するためのフローチャートである。
【図６】応用例におけるディスク再生処理を説明するためのフローチャートである。
【符号の説明】
【００７１】
１００    ディスク再生装置
１０１    光ピックアップ
１０２    ディスク設置部
１０３    信号処理部
１０４    ＭＰＥＧデコーダ
１０５    Ｉ／Ｐコンバータ
１０６    スケーラ
１０７    ＨＤＭＩトランスミッタ
１０８    ビデオエンコーダ
１０９    ビデオアンプ
１１０    操作部
１１１    表示部
１１２    ＣＰＵ
１１３    記憶部
１１４    バス
２００    ＨＤＭＩ機能付出力装置
３００    ＨＤＭＩ端子ケーブル
４００    ＨＤＭＩ機能無し出力装置
５００    Ｄ端子ケーブル
６００    光ディスク媒体
【図１】
2008103001.tif 000003
【図２】
2008103001.tif 000004
【図３】
2008103001.tif 000005
【図４】
2008103001.tif 000006
【図５】
2008103001.tif 000007
【図６】
2008103001.tif 000008